(57)【要約】【課題】本発明は、水解性のトイレットペーパー、乳幼児や老人のお尻拭き、ティシュペーパー、ペーパータオル、薬品等を含む治療用ペーパーで、水に流して廃棄することが可能な紙を二枚重ねにした水解性、保湿性等を有するペーパーの製造方法およびその製造装置に関するものである。【解決手段】二つのロール２１、２２に巻回されたペーパーをそれぞれ引き出し、二重に重ね合わせた後、別のローラ２５に巻回される。前記ペーパーは、抄造された紙からなるとともに、水解性を有する。前記ペーパーが二重に重ね合わされる際に、移動中の下紙の上部と上紙の下部との間に形成された空間に、所望の薬品が非接触状態で噴霧される。その後、前記下紙と上紙とは、接着されて一枚のペーパーとなる。【選択図】    図２
2004236878.tif 000002
【特許請求の範囲】
【請求項１】
水解性を有する紙を二枚重ねにして一枚のペーパーを連続して製造する方法において、
移動中の下紙と上紙との間に形成された空間に、所望の薬品が非接触状態で噴霧された後、前記下紙と上紙とが接着されて一枚のペーパーとなることを特徴とする水解性を有する紙を二枚重ねにしたペーパーの製造方法。
【請求項２】
前記薬品等の噴霧は、略隔離された噴霧室で行われることを特徴とする請求項１に記載された水解性を有する紙を二枚重ねにしたペーパーの製造方法。
【請求項３】
前記薬品等は、糊剤、柔軟剤、保湿剤、消毒剤、清浄剤、疾患用薬品、顔料、芳香剤等の少なくとも一つからなることを特徴とする請求項１または請求項２に記載された水解性を有する紙を二枚重ねにしたペーパーの製造方法。
【請求項４】
第１ロールおよび第２ロールからペーパーを引き出すためのローラー駆動手段と、
第１ロールから引き出されたペーパーの下紙の上部と、第２ロールから引き出された上紙の下部との間に薬品等を噴霧するために配置された噴霧器のノズルと、
前記噴霧器に所望の薬品等を供給する薬品供給手段と、
前記上紙および下紙を移動しながら重ね合わせる駆動手段と、
を備えていることを特徴とする水解性を有する紙を二枚重ねにしたペーパーの製造装置。
【請求項５】
前記噴霧器のノズルおよび下紙の上部と上紙の下部の一部が収納される噴霧室を備えていることを特徴とする請求項４に記載された水解性を有する紙を二枚重ねにしたペーパーの製造装置。
【請求項６】
前記噴霧器のノズルの数は、一つで、混合された所望の薬品が噴出することを特徴とする請求項４または請求項５に記載された水解性を有する紙を二枚重ねにしたペーパーの製造装置。
【請求項７】
前記噴霧器のノズルの数は、所望の薬品の数だけ設けたことを特徴とする請求項４ないし請求項６のいずれか１項に記載された水解性を有する紙を二枚重ねにしたペーパーの製造装置。
【請求項８】
前記噴霧室は、温湿度調整手段が設けられていることを特徴とする請求項５に記載された水解性を有する紙を二枚重ねにしたペーパーの製造装置。
【請求項９】
前記ローラー駆動手段、薬品供給手段、温湿度調整手段、およびモータは、制御装置により制御されていることを特徴とする請求項４ないし請求項８のいずれか１項に記載された水解性を有する紙を二枚重ねにしたペーパーの製造装置。
【発明の詳細な説明】
【０００１】
【発明の属する技術分野】
本発明は、水解性のトイレットペーパー、乳幼児や老人のお尻拭き、ティシュペーパー、ペーパータオル、薬品等を含む治療用ペーパーで、水に流して廃棄することが可能な紙を二枚重ねにした水解性、保湿性等を有するペーパーの製造方法およびその製造装置に関するものである。本明細書でいうペーパーは、ロール形式のもの、ティシュペーパーのように折り畳まれたもの、あるいは、方形に切断されたものを含む。
【０００２】
また、本明細書でいう薬品等は、糊剤、柔軟剤、保湿剤、消毒剤、清浄剤、疾患用薬品、顔料、芳香剤等を含むものである。さらに、本明細書でいう水解性は、水に対する溶解性および分散性を有する。本明細書でいうペーパーは、化粧用、清浄用、医療用、乳幼児、老人等に適したものである。
【０００３】
【従来の技術】
従来、水解性を有する清浄、清拭用の紙製品としては、水解紙に化粧品用油性原料および界面活性剤を含侵させた水洗性清拭紙、低密度ティシュペーパーを柔軟性油剤により処理した痔疾皮膚清浄用紙製品、ユーカリパルプを含有する水解性紙に油性成分を含侵させた皮膚洗浄・清拭材等があった。前記技術に係る公報の例としては、たとえば、特開昭５９−１４４４２６号公報、特開昭６２−８７１１７号公報、特開平４−１５０２１号公報等がある。
【０００４】
また、水またはアルコール、香料、グリセリン等の消毒用溶質を含む溶媒液を水溶紙に含侵させたトイレットペーパーが特開平４−３２５１２９号公報として公開されている。
【０００５】
【発明が解決しようとする課題】
従来のペーパーは、化粧用、清浄用、医療用、乳幼児あるいは老人用等、目的によって、含侵させる薬品が異なり、それぞれ目的に適った製造方法あるいは製造装置にしているため、大量生産に向かないという問題を有した。
【０００６】
前記ペーパーは、目的によって、薬品が異なるだけでなく、柔らかさや強度が異なるため、柔らかさ、保湿性、強度等を同時に達成するものを大量生産することが困難であった。これを解決するために、柔らかさおよび保湿性のある紙を二枚重ねることにより、強度を補うものがある。
【０００７】
二枚重ねのペーパーは、紙にエンボスを設けたり、糊剤を上部から刷毛で塗布した後、重ねることにより、糊剤等の薬品が含侵して、貼り合わされる。糊剤等の薬品を塗布する刷毛は、紙と接触し、紙の流れる方向に逆らう力となるため、紙の駆動に影響がでるだけでなく、糊剤を含む薬品等がローラーやその他の機構部に付着し、紙の動きや機構部の動きを悪くしていた。
【０００８】
以上の課題を解決するために、本発明は、二枚のペーパーの内側に非接触状態で、糊剤を含む薬品等を噴霧することで、小型でコンパクト、かつ、多目的に使用できる大量生産向きの水解性を有する紙を二枚重ねにしたペーパーの製造方法およびその製造装置を提供することを目的とする。
【０００９】
【課題を解決するための手段】
（第１発明）
第１発明は、水解性を有する紙を二枚重ねにして一枚のペーパーを連続して製造する方法において、移動中の下紙と上紙との間に形成された空間に、所望の薬品が非接触状態で噴霧された後、前記下紙と上紙とが接着されて一枚のペーパーとなることを特徴とする。
【００１０】
（第２発明）
第２発明の水解性を有する紙を二枚重ねにしたペーパーの製造方法において、薬品等の噴霧は、略隔離された噴霧室で行われることを特徴とする。
【００１１】
（第３発明）
第３発明の水解性を有する紙を二枚重ねにしたペーパーの製造方法において、薬品等は、糊剤、柔軟剤、保湿剤、消毒剤、清浄剤、疾患用薬品、顔料、芳香剤等の少なくとも一つからなることを特徴とする。
【００１２】
（第４発明）
第４発明の水解性を有する紙を二枚重ねにしたペーパーの製造装置は、第１ロールおよび第２ロールからペーパーを引き出すためのローラー駆動手段と、第１ロールから引き出されたペーパーの下紙の上部と、第２ロールから引き出された上紙の下部との間に薬品等を噴霧するために配置された噴霧器のノズルと、前記噴霧器に所望の薬品等を供給する薬品供給手段と、前記上紙および下紙を移動しながら重ね合わせる駆動手段とを備えていることを特徴とする。
【００１３】
（第５発明）
第５発明の水解性を有する紙を二枚重ねにしたペーパーの製造装置は、噴霧器のノズルおよび下紙の上部と上紙の下部の一部が収納される噴霧室を備えていることを特徴とする。
【００１４】
（第６発明）
水解性を有する紙を二枚重ねにしたペーパーの製造装置において、噴霧器のノズルの数は、一つで、混合された所望の薬品が噴出することを特徴とする。
【００１５】
（第７発明）
第７発明の水解性を有する紙を二枚重ねにしたペーパーの製造装置において、噴霧器のノズルの数は、所望の薬品の数だけ設けたことを特徴とする。
【００１６】
（第８発明）
第８発明の水解性を有する紙を二枚重ねにしたペーパーの製造装置において、噴霧室は、温湿度調整手段が設けられていることを特徴とする。
【００１７】
（第９発明）
第９発明の水解性を有する紙を二枚重ねにしたペーパーの製造装置において、ローラー駆動手段、薬品供給手段、温湿度調整手段、およびモータは、制御装置により制御されていることを特徴とする。
【００１８】
【発明の実施の形態】
（第１発明）
第１発明は、二つのローラーに巻回されたペーパーをそれぞれ引き出し、二重に重ね合わせた後、別のローラーに巻回される。前記ペーパーは、抄造された紙からなるとともに、水解性を有する。前記ペーパーが二重に重ね合わされる際に、移動中の下紙の上部と上紙の下部との間に形成された空間に、所望の薬品が非接触状態で噴霧される。その後、前記下紙と上紙とは、接着されて一枚のペーパーとなる。
【００１９】
前記所望の薬品等は、前記下紙の上部と上紙の下部との間に、非接触状態で噴霧されるため、ペーパーに含侵しないので、薬品等の量が少なく、均一でかつ適正量とすることが容易にできる。薬品等の量が少ないということは、ローラー等の機構部に対して、薬品等の付着する量が少なくなり、メンテナンス等が容易である。また、前記下紙の上部と上紙の下部との間で噴霧するため、上部から刷毛の重さ等によって、ペーパーの動きに悪影響を与えることがない。
【００２０】
（第２発明）
第２発明における薬品等の噴霧は、ペーパーの出入り口のみが外部と通じている隔離された噴霧室で行われるため、薬品等が前記噴霧室の外部に漏れることが少なく、ローラーや機構部に薬品が付着せずに、所望の量を均一に噴霧することができる。
【００２１】
（第３発明）
第３発明の薬品等は、たとえば、糊剤、柔軟剤、保湿剤、消毒剤、清浄剤、疾患用薬品、顔料、芳香剤等があり、これらの中の少なくとも一つ、あるいは、複数を組み合わせて噴霧することができる。すなわち、第３発明は、薬品等が多い場合であっても、一つまたは二つ程度の噴霧器で済むから、工程を少なくすることができる。
【００２２】
（第４発明）
第４発明の水解性を有する紙を二枚重ねにしたペーパーの製造装置は、たとえば、抄造された紙が予め巻回されている第１ロールおよび第２ロールから、駆動手段によって、ペーパーを引き出す。噴霧器のノズルは、第１ロールから引き出されたペーパーの下紙の上部と、第２ロールから引き出された上紙の下部との間に噴霧するように配置されている。
【００２３】
薬品供給手段は、前記下紙の上部または上紙の下部の一方または両方に前記ノズルから所望の薬品等が噴霧されるように噴霧器に供給する。前記薬品等が噴霧された二枚の紙は、駆動手段によって、互いに重ね合わされながら移動する。前記下紙と上紙の間に噴霧された薬品等は、決められた領域に、程よい量が均一に噴霧されるため、品質の高いものとなる。
【００２４】
（第５発明）
第５発明の水解性を有する紙を二枚重ねにしたペーパーの製造装置は、噴霧器のノズルおよび下紙の上部と上紙の下部の一部が収納される噴霧室を備えているため、薬品等が機構部に付着することがなく、製造装置の動作に悪影響を与えない。前記噴霧室には、ローラーの設備をなくし、噴霧器のノズルのみにすることにより、装置を小型化することが容易にできる。
【００２５】
（第６発明）
第６発明の水解性を有する紙を二枚重ねにしたペーパーの製造装置において、噴霧器のノズルの数は、一つで、混合された所望の薬品等が前記ノズルから噴出する。たとえば、第６発明は、糊剤、保湿剤、消毒剤、治療薬、顔料、香料等を同時に混合したものを一つのノズルから噴霧できるため、装置を小型化することができるだけでなく、一つの製造装置で多様化したペーパーを製造することができる。
【００２６】
（第７発明）
第７発明の水解性を有する紙を二枚重ねにしたペーパーの製造装置において、噴霧器のノズルの数は、所望の薬品等の数だけ設けられているため、一つの装置で目的の異なるペーパーを幾種類も作製することができる。すなわち、第７発明は、所望のノズルを後述の制御装置によって、選択することにより、目的に適ったペーパーが容易に作製できる。
【００２７】
（第８発明）
第８発明の水解性を有する紙を二枚重ねにしたペーパーの製造装置において、噴霧室には、温湿度調整手段が設けられているため、所望の薬品等を各種備えておいても、品質の高いペーパーを製造することができる。
【００２８】
（第９発明）
第９発明の水解性を有する紙を二枚重ねにしたペーパーの製造装置における制御装置は、ローラー駆動手段、薬品供給手段、温湿度調整手段、およびモータを制御することにより、ペーパーの移動速度、薬品等の供給量、薬品等を噴霧する際の温湿度を調整できるようになっているため、品質の良いペーパーを得ることができる。
【００２９】
【実施例】
図１は本発明の実施例で、概略を説明するための概念図である。図１において、水解性を有する紙を二枚重ねにしたペーパーの製造装置は、少なくとも一つあるいは多数の薬品等供給手段１１と、前記薬品等供給手段１１から供給された薬品等を噴霧する噴霧器が備えられている噴霧室１２と、ペーパーの送り速度あるいは温湿度等を調整する調整手段１３と、ペーパーを送る駆動手段１４と、前記各手段を制御する制御装置１５とから構成されている。
【００３０】
前記薬品等供給手段１１は、たとえば、糊部材供給手段１１１、保湿剤供給手段１１２、治療薬供給手段（以下、図示されていない）、顔料供給手段、芳香剤供給手段、・・・等から構成されている。前記噴霧室１２は、噴霧する薬品等によって、第１噴霧器１２１、第２噴霧器１２２、・・・、から構成されている。前記各噴霧器１２１、１２２、・・・、は、それぞれノズルを備え、下紙の上部および上紙の下部に非接触状態で噴射するように配置されている。
【００３１】
調整手段１３は、温湿度調整手段１３１と、モータ１３２等から構成されている。前記温湿度調整手段１３１は、噴霧室１２の温湿度を調整することにより、ペーパーおよび薬品等の温湿度を適度に保持する。前記湿度は、薬品等を前記ノズルから噴射する際に最適となるように調整されている。また、前記温度は、ペーパーどうしが接着する際に最適な温度になるように調整されている。
【００３２】
前記モータ１３２は、ペーパーを移動させる、たとえば、第１ローラー駆動手段１４２、第２ローラー駆動手段１４３等を駆動させる。前記モータ１３２は、必ずしも図示のようになっている必要はない。各ローラーに駆動手段として別々のモータを設けることもできる。しかし、前記複数のモータは、互いに同期をとる必要がある。
【００３３】
駆動手段１４は、同期装置１４１と、第１ローラー駆動手段１４２と、第２ローラー駆動手段１４３とから構成されている。前記同期装置１４１は、必要に応じて設けることができるものであり、上紙および下紙が接着される際に皺が寄らないように駆動手段に対して同期をとるものである。第１ローラー駆動手段１４２および第２ローラー駆動手段１４３は、前記上紙および下紙のそれぞれを引き出し、最後に同じ場所を接着するようにペーパーを駆動させる。制御装置１５は、前記薬品等供給手段１１と、前記噴霧室１２と、調整手段１３と、駆動手段１４とをそれぞれ制御するものである。
【００３４】
図２は本発明の具体的な実施例の模式図である。本実施例における水解性を有する紙を二枚重ねにしたペーパーの製造装置は、予めペーパーが巻芯２１１または巻芯２２１に巻回されている第１ロール２１および第２ロール２２と、前記各ロール２１、２２のペーパーを移動させる第１駆動ローラー２３および第２駆動ローラー２４と、前記各ロールからペーパーを巻き取る巻取りローラー２５とを備えている。
【００３５】
前記水解性を有する紙を二枚重ねにしたペーパーの製造装置は、前記ペーパーの移動経路には、その他に、ガイドローラー２６、２６′、２７等がある。これらのガイドローラー２６、２６′、２７は、必ずしも必須のものではなく、ペーパーの移動方向を変えるために、必要に応じて、配置を変えたり、あるいは除去したりすることができる。
【００３６】
第１ロール２１の下紙２１２と、第２ロール２２の上紙２２２が接着される直前には、噴霧室１２が必要に応じて設けられている。前記噴霧室１２には、たとえば、ノズル２８を有する噴霧器１２１、ノズル２９を有する噴霧器１２２、・・・、が備えられている。前記下紙２１２は、第１ペーパー入口１２３から入り、ペーパー出口１２５から出て、巻取りローラー２５に向かって移動する。
【００３７】
前記上紙２２２は、第２ペーパー入口１２４から入り、ペーパー出口１２５から出て、巻取りローラー２５に向かって移動する。前記下紙２１２と上紙２２２が第２駆動ローラー２４において、重ねられて接着される直前には、必要に応じて、噴霧室１２が設けられている。
【００３８】
前記噴霧室１２におけるノズル２８、２９は、下紙２１２の上部と上紙２２２の下部に向かって噴霧できるように配置されている。前記ノズル２８、２９は、たとえば、一個とすることも薬品等の数だけ設けることもできる。また、前記噴霧室１２は、前記ノズル２８、２９から噴射された薬品等が均一に噴霧される。また、前記薬品等は、非接触状態でペーパーの間に噴霧されるため、ペーパーの移動を妨げることがなく、必要な量のみを均一に付着させることができる。
【００３９】
前記噴霧器のノズルを一個とする場合、薬品等の混合剤は、噴霧器１２２のノズル２９から、非接触状態で、下紙２１２の上部と上紙２２２の下部に向かって噴霧される。前記噴霧器のノズルを多数設ける場合、薬品等は、それぞれのノズルから噴霧するため、ペーパー等の目的にしたがって、前記薬品等のノズルを選択することによって、一つの装置で多種類の目的に適ったペーパーを生産することができる。
【００４０】
前記噴霧室１２は、ガイドローラー２６、２６′を室外に設けることにより、小型化が可能になり、噴霧をより均一に行うことができる。また、噴霧器のノズルからの噴霧は、下紙２１２の上部と上紙２２２の下部に向かって行われるのであれば、噴霧室１２を省略しても、比較的、各ローラーに薬品等が付着し難いため、従来の装置と比較して優れた効果を奏する。
【００４１】
本発明で使用した水解性を有する紙は、天然繊維、非天然繊維、あるいはこれらの混合シートからなるシート材である。前記天然繊維は、木質繊維、ケナフ、バガス、竹等の非木質繊維がある。非天然繊維は、レーヨン繊維等が適当である。保湿剤は、グリセリン、ジグリセリン、ポリエチレングリコール、ソルビット、プロピレングリコール、グリシンベタイン、ピロリドンカルボン酸、ピロリドンカルボン酸塩、マルチトール、乳酸ナトリウムのうち一種類以上の成分とするものである。
【００４２】
乾燥紙力増強剤は、カルボキシメチルセルロースナトリウム、澱粉、変性澱粉、グァーガム、ポリビニールアルコール、ポリアクリルアマイドのうちの一種類以上の成分とし、特に、カルボキシメチルセルロースナトリウムを用いることができる。
【００４３】
さらに、糊剤、柔軟剤、消毒剤、清浄剤、疾患用薬品、顔料、芳香剤等は、公知または周知のものであり、ペーパーとして使用許可の得られるものを使用する。
【００４４】
以上、本発明の実施例を詳述したが、本発明は、前記実施例に限定されるものではない。そして、本発明は、特許請求の範囲に記載された事項を逸脱することがなければ、種々の設計変更を行うことが可能である。たとえば、本発明のペーパーは、巻回してトイレットペーパーに、重ねて乳幼児や老人のお尻拭き、ティシュペーパー、ペーパータオル、薬品等を含む治療用ペーパー等にすることが任意にできる。本実施例における噴霧器の配置は、模式図であるため、正確でないが、下紙の上部および上紙の下部に薬品等を噴霧できる構造であれば、如何なる変形であってもよい。
【００４５】
【発明の効果】
本発明によれば、所望の薬品等は、前記下紙の上部と上紙の下部との間に、非接触状態で噴霧されるため、ペーパーに含侵されないので、薬品等の量が少なく、かつ適正量とすることが容易にできる。薬品等は、ローラー等の機構部に対して、付着する量が少なくなり、メンテナンス等が容易である。また、前記下紙の上部と上紙の下部との間で噴霧するため、上部から刷毛の重さ等によって、ペーパーの動きに悪影響を与えることがない。
【００４６】
本発明によれば、薬品等の噴霧は、ペーパーの出入り口のみが外部と通じている隔離された噴霧室で行われるため、薬品等が前記噴霧室の外部に漏れることが少なく、ローラーや機構部に薬品が付着せずに、所望の量を均一に噴霧することができる。
【００４７】
本発明によれば、下紙と上紙の間に噴霧された薬品等は、決められた領域に、程よい量が噴霧されるため、品質の高いものとなる。
【００４８】
本発明によれば、噴霧器のノズルおよび下紙と上紙とが収納される噴霧室を備えているため、薬品等が機構部に付着することがなく、製造装置の動作に悪影響を与えない。前記噴霧室には、ローラーの設備をなくし、噴霧器のノズルのみにすることにより、装置を小型化することが容易にできる。
【００４９】
本発明によれば、噴霧室には、温湿度調整手段が設けられているため、所望の薬品等を各種備えておいても、品質の高いペーパーを製造することができる。水解性を有する紙を二枚重ねにしたペーパーの製造装置における制御装置は、ローラー駆動手段、薬品供給手段、温湿度調整手段、およびモータを制御することにより、ペーパーの移動速度、薬品等の供給量、薬品等を噴霧する際の温湿度を調整できるようになっているため、品質の良いペーパーを得ることができる。
【図面の簡単な説明】
【図１】本発明の実施例で、概略を説明するための概念図である。
【図２】本発明の具体的な実施例の模式図である。
【符号の説明】
１１・・・薬品等供給手段
１２・・・噴霧室
１２１、１２２・・・噴霧器
１２３・・・第１ペーパー入口
１２４・・・第２ペーパー入口
１２５・・・ペーパー出口
１３・・・調整手段
１４・・・駆動手段
１５・・・制御装置
２１・・・第１ロール
２１１・・・巻芯
２１２・・・下紙
２２・・・第２ロール
２２１・・・巻芯
２２２・・・上紙
２３・・・第１駆動ローラー
２４・・・第２駆動ローラー
２５・・・巻取りローラー
２５１・・・巻芯
２６、２６′、２７・・・ガイドローラー
２８、２９・・・ノズル
【図１】
2004236878.tif 000003
【図２】
2004236878.tif 000004